(57)【要約】抵抗チェアは、正面縁および背面縁を有する高架式静止座面を含む。アームは、座面の背面縁と回転可能に係合され、高架式静止座面に対する水平線の下方の位置まで回転可能である。背中支持体は、アームに固定され、高架式静止座面上に着席しているユーザの背中を支持する。少なくとも１つの抵抗要素が、高架式静止座面に接続され、第１のアームを直立開始位置に付勢し、高架式静止座面に対する水平線の下方のアームによって、腹筋運動を行なっているユーザが、完全伸展腹筋運動位置から直立腹筋運動位置に戻るように補助する。
2014521483.tif 000002
【特許請求の範囲】
【請求項１】
正面縁および背面縁を有する高架式静止座面と、
前記座面の背面縁に回転可能に係合し、前記高架式静止座面に対する水平線の下方の位置まで回転可能である第１のアームと、
前記第１のアームに固定され、前記高架式静止座面上に着席しているユーザの背中を支持する少なくとも１つの背中支持体と、
前記高架式静止座面に接続されている少なくとも１つの抵抗要素と
を備え、
前記少なくとも１つの抵抗要素は、前記第１のアームを直立開始位置に付勢して、前記第１のアームが前記高架式静止座面の下方にリクライニングされた完全伸展腹筋運動位置から直立腹筋運動位置に、腹筋運動を行なっているユーザが戻ることを補助し、
前記少なくとも１つの抵抗要素は、前記直立開始位置から離れる前記第１のアームの回転に対して抵抗して、前記直立腹筋運動位置から前記第１のアームが前記高架式静止座面の下方にある前記完全伸展腹筋運動位置に、前記ユーザが移動することに対して抵抗する、
抵抗チェア。
【請求項２】
前記高架式静止座面は、前記高架式静止座面の上方に離間された一対の対向する手支持体をさらに備えている、請求項１に記載の抵抗チェア。
【請求項３】
前記高架式静止座面は、一対の平行レール間において張力下にある可撓性シートを備えている、請求項１に記載の抵抗チェア。
【請求項４】
前記抵抗要素は、前記高架式静止座面に対して下向きに角度付けられている、請求項１に記載の抵抗チェア。
【請求項５】
前記抵抗要素は、弾性部材であり、前記弾性部材は、弾性抵抗バンドである、請求項４に記載の抵抗チェア。
【請求項６】
第１の端部および第２の端部を有する第２のアームと、
前記第１のアームに取り付けられた調節可能ヒンジと
をさらに備え、
前記調節可能ヒンジは、前記第１のアームに沿った固定位置の間で移動可能である、請求項１に記載の抵抗チェア。
【請求項７】
前記第２のアームの第１の端部は、前記調節可能ヒンジに接続され、前記第２のアームの第２の端部は、ローラに接続されている、請求項６に記載の抵抗チェア。
【請求項８】
前記第１のアームに沿って前記調節可能ヒンジを移動させることは、前記第１のアームの最大リクライニング角度を変化させる、請求項７に記載の抵抗チェア。
【請求項９】
前記第１のアームに沿って上向きに前記調節可能ヒンジを移動させることは、前記第１のアームの最大リクライニング角度を増加させ、前記第１のアームに沿って下向きに前記調節可能ヒンジを移動させることは、前記第１のアームの最大リクライニング角度を減少させる、請求項７に記載の抵抗チェア。
【発明の詳細な説明】
【技術分野】
【０００１】
以下の説明は、概して、エクササイズ機器の分野に関し、より具体的には、負担が少ない腹部エクササイズ器具の分野に関する。
【背景技術】
【０００２】
エクササイズおよびフィットネスの時代において、古くからの腹筋運動は、間違って行なわれる場合、特に、劣悪な物理的条件下で行なわれる場合、潜在的に損傷を受けるため、非難に曝されている。必要とされるのは、誰もが正しい腹筋運動を行なうことを可能にし、可変レベルの抵抗または補助を提供し、エクササイズに不慣れな人々に適合する、エクササイズツールである。
【０００３】
加えて、ユーザが、代替バリエーションの腹筋運動を行なうことも可能にする、エクササイズツールの必要性もある。例えば、床面等の平坦表面上で行なわれる従来の腹筋運動は、ユーザが、水平線位置までリクライニングすることのみ可能にする。従来の腹筋運動の難度を増加させるために、ユーザが、水平線位置を越えてリクライニングすることを可能にする一方、依然として、傷害を防止するために、ユーザが、適切なフォームを維持することを保証する、デバイスを提供することが望ましいであろう。
【発明の概要】
【課題を解決するための手段】
【０００４】
以下に開示されるデバイスは、これらおよび他の必要性を満たす。以下の簡略化された概要は、請求される主題のいくつかの側面の基本理解を提供するために提供される。本概要は、広範囲に及ぶ概要ではなく、重要／必須要素を識別すること、または請求される主題の範囲を境界することを意図するものでもない。その目的は、以下に提示される発明を実施するための形態に対する前置きとして、いくつかの概念を簡略化された形態において提示することである。
【０００５】
車輪付き抵抗チェアは、ユーザの努力を誘導し、腹筋運動を行なうときに一般に経験される初期痙動を排除することによって、ユーザが、正しい腹筋運動を行なうように補助する。抵抗チェアは、ユーザの背中を支持し、腹筋伸展後の腹筋回復を補助するように延在する背中支持体を有するヒンジ接合された背面に接続された座面を含む。
【０００６】
動作において、抵抗チェアは、ユーザの背中のための支持、調節可能抵抗を提供し、調節可能抵抗は、開始位置から伸展位置に移動し、したがって、腹筋運動において通常機能しない筋肉のエクササイズを行なわせる。抵抗チェアの背中支持体および調節可能抵抗はまた、重力の一部を克服し、ユーザが、伸展位置から開始位置に移動する正しい腹筋運動を行なうよう支援することによって、ユーザを補助する。
【０００７】
後方移動に対して抵抗を提供することによって、ユーザは、腰部筋肉を使い、それによって、腹筋の正面および背面をエクササイズすることになる。背もたれはさらに、コア回転を可能にし、ユーザに、横向きツイストを行い、腹斜筋を使う能力を提供する。
【０００８】
別の実施形態では、抵抗チェアは、正面縁および背面縁を有する高架式静止座面を含む。アームが、座面の背面縁と回転可能に係合され、高架式静止座面に対する水平線の下方の位置まで回転可能である。背中支持体は、アームに固定され、高架式静止座面上に着席しているユーザの背中を支持する。少なくとも１つの抵抗要素が、高架式静止座面に接続され、第１のアームを直立開始位置に付勢し、アームが高架式静止座面に対する水平線の下方にある完全伸展腹筋運動位置から直立腹筋運動位置に、腹筋運動を行なっているユーザが戻るように補助する。抵抗要素はまた、直立開始位置から離れるアームの回転に対して抵抗し、直立腹筋運動位置から完全伸展腹筋運動位置に移動しようとするユーザに対して抵抗する。
【０００９】
別の実施形態では、抵抗チェアはまた、第１の端部および第２の端部を有する第２のアームを含む。調節可能ヒンジが、第１のアームに取り付けられ、第１のアームに沿った固定位置の間で移動可能である。第２のアームの第１の端部は、調節可能ヒンジに接続され、第２のアームの第２の端部は、ローラ、例えば、車輪付き車軸に接続される。第１のアームに沿って、調節可能ヒンジを移動させることは、第１のアームの最大リクライニング角度を変化させる。例えば、第１のアームに沿って上向きに調節可能ヒンジを移動させることは、第１のアームの最大リクライニング角度を増加させ、第１のアームに沿って下向きに調節可能ヒンジを移動させることは、第１のアームの最大リクライニング角度を減少させる。
【００１０】
前述および関連目的を達成するために、ある例証的側面が、以下の説明および付属の図面に関連して、本明細書に説明される。しかしながら、これらの側面は、請求される主題の原理が採用される種々の方法のいくつかを示すにすぎず、請求される主題は、全てのそのような側面およびその均等物を含むことを意図する。他の利点および新規特徴は、図面と併せて検討することによって、以下の発明を実施するための形態から明白となり得る。
【図面の簡単な説明】
【００１１】
【図１】図１は、高架式座面を有する抵抗チェアの代替実施形態の後面斜視図である。
【図２】図２は、図１の高架式座面を有する抵抗チェアの正面斜視図である。
【図３】図３は、図１の高架式座面を有する抵抗チェアの側面立面図である。
【図４】図４は、図１の高架式座面を有する抵抗チェアの正面立面図である。
【図５】図５は、図１の高架式座面を有する抵抗チェアの側面立面図であって、高架式座面に対する水平線を越えて回転されるアームを示す。
【発明を実施するための形態】
【００１２】
開示される実施形態の一側面では、高架式抵抗チェアは、高架式静止座面を含む。床面（または、他の支持表面）は、アームが座面に対する水平線を越えて回転することを防止するので、座面を高架させることによって、ユーザは、座面に対する水平線を越える位置までリクライニングすることができる。これは、より広い運動の範囲がもたらされるので、ユーザが、より困難なバリエーションの腹筋運動を行なうことを可能にする。完全伸展腹筋運動位置にあるとき、座面の下方の位置にあるユーザの胴体は、床面上に着席しながら行なわれる腹筋運動と比較して、総運動の範囲が、より広いため、ユーザに、より困難な腹筋運動を行なうことを要求する。
【００１３】
図１−５に示されるように、抵抗チェア１００は、高架式座面１１２を含む。以前に開示される実施形態とは対照的に、高架式座面１１２は、抵抗チェア１００が置かれている床面または他の支持表面の上方に離間されることが分かる。床面の上方に離間する高架式座面１１２の利点の１つは、第１のアーム１１５が、高架式座面１１２に対する水平線の下方の位置までリクライニングすることが可能なことである。したがって、床面の上方に離間する座面１１２は、第１のアーム１１５が、座面が床面の上方に離間されるのではなく、直接、床面上に静置する抵抗チェアと比較して、より広い運動の範囲を有することを可能にする。高架式座面１１２は、図に示されるように、Ｕ形状部材１５６の平行アーム１５７によって懸架される、布地またはメッシュパネル１１３を提供することによって形成され得る。Ｕ形状部材１５６はまた、平行アーム１５７間にまたがる後面支持部材１５８を含む。代替として、高架式座面１１２は、プラスチックまたは金属等の好適な材料から作製される固体平坦部材であり得る。
【００１４】
高架式座面１１２を床面の上方に離間させるために、正面支持脚部１５０および後面支持脚部１５２が、提供される。高架式座面１１２は、正面支持脚部１５０および後面支持脚部１５２の上側端近傍のこれらの支持レールに取り付けられる。取り付け手段は、ボルトまたはネジ等の締結具、溶接、接着剤、または任意の他の好適な手段であり得る。
正面支持脚部１５０および後面支持脚部１５２は、傾斜され得、高架式座面１１２に隣接するそれらの上側端とそれらの下側端とは、それぞれ、高架式座面１１２の正面縁の前方に、および背面縁の後方に離間される。正面支持脚部１５０および後面支持脚部１５２を垂直線に対して傾斜させることによって、より高架式座面１１２の安定性が、達成される。例えば、高架式座面１１２上に着席しているユーザが、後方に寄り掛かかる、またはリクライニングする場合、後面支持脚部１５２の傾斜が、高架式座面１１２がひっくり返ることを防止するであろう。しかしながら、また、正面支持脚部１５０および後面支持脚部１５２は、垂直であり得ることが想定される。
【００１５】
正面支持脚部１５０および後面支持脚部１５２に加え、水平支持レール１５４が、提供され得る。水平支持レール１５４は、図に描写されるように、正面支持脚部１５２および後面支持脚部１５４と一体的に形成され得る。代替として、水平支持レール１５４は、正面支持脚部１５０および後面支持脚部１５２の上側端に取り付けられ得る。また、代替として、水平支持レール１５４は、高架式座面１１２に取り付けられるか、またはそれと一体的に形成され得る。水平支持レール１５４は、図に示されるように、高架式座面１１２の上方に離間され得るか、または代替として、高架式座面１１２と同一のレベルであり得る。加えて、水平支持レール１５４は、図に描写されるように、Ｕ形状部材１５６の平行アーム１５７に対して、外向きに広げられ得る。水平支持レール１５４は、高架式座面上に着席しているユーザによってつかまれ、ユーザを支え、腹部エクササイズを行なうのを支援する。
【００１６】
抵抗チェア１００はまた、第１のアーム１１５および第２のアーム１１７を含む。第１のアーム１１５は、ヒンジ１１４において、その下側端を中心としてヒンジ接合される。少なくとも１つの肩支持ローラ１２５は、高架式座面１１２上に着席し、第１のアーム１１５に対してリクライニングするユーザの肩を回転可能に支持するために、第１のアーム１１５の上側端の正面表面に取り付けられる。同様に、少なくとも１つの背中支持体ローラ１２４は、高架式座面１１２上に着席し、第１のアーム１１５に対してリクライニングするユーザの背中を回転可能に支持するために、第１のアーム１１５の上側端の下方において、第１のアーム１１５の正面表面に取り付けられる。肩支持ローラ１２５および背中支持体ローラ１２４は、腹部エクササイズの間、ユーザの背中と第１のアーム１１５との間の摺動移動を促進するため、有利であるが、厳密に必要ではなく、いくつかの実施形態では、省略され得、または非回転支持部材によって置換され得る。
【００１７】
第２のアーム１１７の上側端は、第１のアーム１１５の上側端に隣接する第１のアーム１５の後面表面に取り付けられるヒンジ１３５によって、第１のアーム１１５にヒンジで接続される。図に示されるように、ヒンジ１３５は、第１のアーム１１５の最上端の若干下方に離間され得る。第２のアーム１１７の下側端は、車軸１２１等の回転デバイスと係合する。第２のアーム１１７は、図に示されるように、車軸１２１と一体的に形成され得るが、他の実施形態では、第２のアーム１１７および車軸１２１は、別個に形成され、次いで、溶接、締結具、または他の好適な手段によって、相互に取り付けられ得る。車軸１２１は、車軸１２１の各端部に回転可能に搭載される車輪１２２等の回転手段によって、回転可能に支持される。
【００１８】
車軸１２１は、下側抵抗係合要素１３３にヒンジで接続される。例えば、図に示されるように、下側抵抗係合要素１３３は、下側抵抗係合要素１３３が車軸１２１に対して回転し得るように、車軸１２１の周囲を包む外筒を備え得る。加えて、上側抵抗係合要素１３４は、高架式座面１１２の後面縁にヒンジで取り付けられる。例えば、図に示されるように、上側抵抗係合要素１３４は、上側抵抗係合要素１５８が後面支持部材１５８に対して回転し得るように、Ｕ形状部材１５６の後面支持部材１５８の周囲を包む外筒を備え得る。一対の下側抵抗係合要素１５６および一対の上側抵抗係合要素１５８が、図には描写されるが、下側および上側抵抗係合要素１５６および１５８の各々は、２つを上回ることも下回ることもあることを理解されたい。
【００１９】
下側抵抗係合要素１５６と上側抵抗係合要素１５８との間にまたがるのは、弾性抵抗要素１２６である。一般に、下側および上側抵抗係合要素１５６および１５８と同一の数の弾性抵抗要素１２６が存在するであろう。例えば、図に描写される実施形態では、２つの下側抵抗係合要素１５６、２つの上側抵抗係合要素１５８、および２つの弾性抵抗要素１２６がある。しかしながら、他の構成もまた、想定される。例えば、本開示の一般的概念から逸脱することなく、下側抵抗係合要素１５６または上側抵抗係合要素１５８より多いまたは少ない弾性抵抗要素１２６が存在し得る。可能性として考えられる弾性抵抗要素１２６の実施例として、弾性的であり、伸展に抵抗し、伸展力がもはや加えられなくなると、その元の長さに戻る傾向にある、ゴムバンド、抵抗バンド、バネ、または任意の他の要素が挙げられる。
【００２０】
したがって、弾性抵抗要素１２６は、第１のアーム１１５のリクライニング（すなわち、図３における第１のアーム１１７の反時計回り回転）に対して抵抗することが分かる。図３および５に最も明確に示されるように、第１のアーム１１５が、リクライニングされるにつれて、第２のアーム１１７の上側端は、ヒンジ１３５を中心として回転するように強制される一方、第２のアーム１１７の下側端は、同時に、車輪１２２の回転により、高架式座面１１２から離れるように移動する。この運動は、図５に描写される完全にリクライニングされた位置まで継続する。着目すべきこととして、図５の完全にリクライニングされた位置では、第１のアーム１１５は、高架式座面１１２に対する水平線を越えてリクライニングされている。第１のアーム１１５を図３に描写される開始位置を越えてリクライニングさせる力が、第１のアーム１１５にもはや加えられなくなると、弾性抵抗要素１２６は、車軸１２１を高架式座面１１２に向かって引き戻すであろう。一般に、弾性抵抗要素１２６によって提供される力は、第１のアーム１１５に加えられるリクライニング力が存在しない場合、第１のアーム１１５および第２のアーム１１７を図３に描写される開始位置に戻すために十分であるが、図５の完全にリクライニングされた位置から図３の開始位置にユーザを持ち上げるほど十分ではない。言い換えると、ユーザは、依然として、腹筋を使用して、開始位置に戻らなければならないが、弾性抵抗要素１２６によって提供される力は、ユーザの上向きに起き上がる運動を補助するであろう。
【００２１】
代替実施形態では、前述に開示される構造のうちの１つ以上は、本質的に、調節可能であり得る。例えば、第１のアーム１１５または第２のアーム１１７は、係止ピンと係合可能な複数の開口を有する、２つの入れ子式部材から形成され得る。２つの入れ子式部材を所望の長さに入れ子にし、係止ピンを係合することによって、ユーザは、第１のアーム１１５または第２のアーム１１７の長さを変動させることができる。同様に、第１のアーム１１５の後面表面上のヒンジ１３５の位置は、第１のアーム１１５に沿ってヒンジ１３５を摺動させ、第１のアーム１１５における開口を係合する係止ピンによって位置を固定することによって、調節可能であり得る。ヒンジ１３５の位置を調節することは、第１のアーム１１５と第２のアーム１１７との間の開始角度を修正することによって、また、高架式座面１１２に対する車軸１２１の開始位置を変更することによって、行なわれるエクササイズの難度を変動させる。第１のアーム１１５に沿って上向きに（すなわち、高架式座面１１２から離れるように）ヒンジ１３５の位置を移動させることは、完全にリクライニングされた位置において、第１のアーム１１５のより大きな最大リクライニング角度を可能にすることが分かる。同様に、第１のアーム１１５に沿って下向きにヒンジ１３５の位置を移動させることは、第１のアーム１１５の最大リクライニング角度を減少させる。最後に、弾性抵抗要素１２６も、調節可能であり得る。例えば、弾性抵抗要素１２６が、複数の抵抗バンドである場合、１つ以上の抵抗バンドを下側抵抗係合要素１５６または上側抵抗係合要素１５８から係脱することによって、提供される抵抗を変動させることが可能である。
【００２２】
抵抗チェア１００を使用するために、ユーザは、高架式座面１１２上に着席し、その背中および肩をそれぞれ背中支持体ローラ１２４および肩支持ローラ１２５上に置く。ユーザは、片手または両手で、水平支持レール１５４の一方または両方をつかむか、あるいは水平支持レール１５４を全くつかまなくてもよい。ユーザが行なうことができる基本エクササイズは、補助付きの伸展起き上がり運動である。ユーザは、その腹筋を使用して、第１のアーム１１５を後方に押し、その運動は、高架式座面１１２から離れる車軸１２１の運動に対して引っ張る弾性抵抗要素１２６によって抵抗される。ユーザは、任意の所望の位置に到達するまで、最大で図５の完全にリクライニングされた位置まで、リクライニングを継続する。図５の完全にリクライニングされた位置は、床面がユーザの胴体が水平線を越えてリクライニングすることを防止するので、機器なしで、床面上で標準的起き上がり運動を行なうことによっては不可能であることに留意されたい。所望のリクライニングされた位置に達すると、ユーザは、次いで、図３の開始位置に到達するまで、座ったままでいることによって、補助付きの伸展起き上がり運動を完遂し得る。起き上がり運動は、車軸１２１を高架式座面１１２に向かって引っ張る弾性抵抗要素１２６の収縮によって、この方向に補助される。抵抗チェア１００はまた、腹筋運動以外の他のエクササイズのためにも使用されることができる。例えば、ユーザは、図５の完全にリクライニングされた位置までリクライニングし、シザーキック、脚上げ、座った状態での抱え込み運動等のエクササイズを行なうことができる。特に、これらのエクササイズは、床に着席しながら可能であるよりも広い運動の範囲によって行なわれる得ることに留意されたい。例えば、シザーキックおよび脚上げは、ユーザの脚が水平線の下方かつデバイスの高架式座面の下方にある最低位置を有する状態で行なわれ得る。
【００２３】
デバイスおよび方法の好ましい実施形態が、それが開発された環境を参照して説明されたが、これらは、本発明の原理の単なる例証である。他の実施形態および構成が、本発明の精神および添付の請求項の範囲から逸脱することなく、考案され得る。
【図１】
2014521483.tif 000003
【図２】
2014521483.tif 000004
【図３】
2014521483.tif 000005
【図４】
2014521483.tif 000006
【図５】
2014521483.tif 000007
【国際調査報告】
2014521483.tif 000008